(57)【要約】【課題】配管間のクリアランスを安定的に確保できる保安性に優れた配管固定具及び冷凍装置の室外ユニットを提供する。【解決手段】配管固定具５０は、室外ユニット１２０内において、第４直管部１４と第５直管部１５との間に配設されて、バンド部６１とともに第４直管部１４と第５直管部１５とを固定する。配管固定具５０は、第１湾曲面５６と第２湾曲面５７とを備える。第１湾曲面５６は第４直管部１４の外面に沿う形状に湾曲し、第２湾曲面５７は第５直管部１５の外面に沿う形状に湾曲する。配管固定具５０は、溝部５５をその外面に形成される。溝部５５には、第１湾曲面５６が第４直管部１４の外面に当接し且つ第２湾曲面５７が第５直管部１５の外面に当接した状態を保持するためのバンド部６１がその外周に巻きつけられる時に、バンド部６１を収容される。【選択図】図５
2015086982.tif 000002
【特許請求の範囲】
【請求項１】
第１冷媒配管（１４、１６）と、前記第１冷媒配管が延びる方向に対して平行な方向に沿って延びる第２冷媒配管（１１、１５）と、の間に配設されて、結束バンド（６１）とともに前記第１冷媒配管と前記第２冷媒配管とを固定する配管固定具（５０、７０、８０）であって、
前記第１冷媒配管の外面に沿う形状に湾曲する第１湾曲面（５６、８６）と、
前記第２冷媒配管の外面に沿う形状に湾曲する第２湾曲面（５７、８７）と、
を備え、
溝部（５５、８５）がその外面に形成され、
前記第１湾曲面が前記第１冷媒配管の外面に当接し且つ前記第２湾曲面が前記第２冷媒配管の外面に当接した状態を保持するための前記結束バンドがその外周に巻きつけられる時に、前記溝部に前記結束バンドが収容される、
配管固定具（５０、７０、８０）。
【請求項２】
前記第１湾曲面と前記第２湾曲面との最短距離である第１距離（ｄ１）は、２０ｍｍ未満である、
請求項１に記載の配管固定具。
【請求項３】
前記第１冷媒配管と、前記第２冷媒配管と、前記第１冷媒配管又は前記第２冷媒配管が延びる方向に対して平行な方向に沿って延びる第３冷媒配管（１２）と、の間に配設されて、前記第３冷媒配管をさらに固定し、
前記第３冷媒配管の外面に沿う形状に湾曲する第３湾曲面（５８、８８）をさらに備え、
前記第１湾曲面又は前記第２湾曲面と、前記第３湾曲面と、の最短距離である第２距離（ｄ２、ｄ６）は、２０ｍｍ未満であり、
前記第３湾曲面が前記第３冷媒配管の外面に当接した状態をさらに保持するための前記結束バンドがその外周に巻きつけられる時に、前記溝部に前記結束バンドが収容される、
請求項１又は２に記載の配管固定具。
【請求項４】
前記第１冷媒配管と、前記第２冷媒配管と、前記第３冷媒配管と、前記第１冷媒配管、前記第２冷媒配管又は前記第３冷媒配管が延びる方向に対して平行な方向に沿って延びる第４冷媒配管（１３）と、の間に配設されて、前記第４冷媒配管をさらに固定し、
前記第４冷媒配管の外面に沿う形状に湾曲する第４湾曲面（５９）をさらに備え、
前記第１湾曲面、前記第２湾曲面又は前記第３湾曲面と、前記第４湾曲面と、の最短距離である第３距離（ｄ４）は、２０ｍｍ未満であり、
前記第４湾曲面が前記第４冷媒配管の外面に当接した状態をさらに保持するための前記結束バンドがその外周に巻きつけられる時に、前記溝部に前記結束バンドが収容される、
請求項３に記載の配管固定具。
【請求項５】
前記第２距離は、１５ｍｍ未満である、
請求項３又は４に記載の配管固定具。
【請求項６】
第１冷媒配管（１４、１６）と、
前記第１冷媒配管が延びる方向に対して平行な方向に沿って延びる第２冷媒配管（１５、１１）と、
冷媒を圧縮する圧縮機（２５）と、
請求項１から５のいずれか１項に記載の配管固定具（５０、７０、８０）と、
前記圧縮機に直接接続されない前記第１冷媒配管及び前記第２冷媒配管を前記配管固定具とともに固定する結束バンド（６１）と、
を備える、冷凍装置の室外ユニット（１２０）。
【発明の詳細な説明】
【技術分野】
【０００１】
本発明は、配管間のクリアランスを確保する配管固定具及び配管固定具を備える冷凍装置の室外ユニットに関する。
【背景技術】
【０００２】
従来、例えば冷凍装置の室外ユニットなど複数の冷媒配管が近接して収容される機器の内部において、冷媒配管同士の接触を避けるべく、図１に示すように発泡樹脂などの緩衝部材１を配管２と配管３の間に配設し、当該緩衝部材１と配管２及び配管３とを結束バンド４で固定する方法がある。しかし、当該方法では、冷媒配管間のクリアランスを一定に確保することが難しい。また、冷媒配管間のクリアランスを小さくすることが難しいため、機器のコンパクト化が制約される。
【０００３】
そこで、できるだけ小さい所定のクリアランスを確保しながら冷媒配管を固定する配管固定具がある。例えば特許文献１（特開２００６−１２５６９９号公報）に開示される配管固定具は、固定する冷媒配管に当接する湾曲面を形成され、当該湾曲面に冷媒配管を当接させた状態で結束バンドを巻きつけられることで、冷媒配管を固定している。より詳細には、特許文献１の配管固定具では、運転中の圧縮機の振動によって近接する冷媒配管同士が接触しないように、圧縮機周辺に配設される複数の冷媒配管を固定している。
【発明の概要】
【発明が解決しようとする課題】
【０００４】
ところで、近年、室外ユニット内における配管系統は複雑化する傾向にあり、冷媒配管間のクリアランスは可能な限り小さくすることが求められている。このことから、圧縮機による振動以外にも、輸送時の振動や傾きによって配管同士が接触する場合がある。しかし、特許文献１の配管固定具は、圧縮機の駆動に伴う振動減衰によって圧縮機周辺の冷媒配管同士が接触することを抑制する一方で、圧縮機の振動の影響を受けにくい冷媒配管間のクリアランスを確保することについては考慮されていない。その結果、特許文献１の配管固定具では、輸送時における振動等によって結束バンドが脱落して配管固定具が冷媒配管から脱離してしまい、冷媒配管間のクリアランスが安定的に確保されないことが想定される。
【０００５】
そこで本発明の課題は、配管間のクリアランスを安定的に確保できる保安性に優れた配管固定具及び冷凍装置の室外ユニットを提供することである。
【課題を解決するための手段】
【０００６】
本発明の第１観点に係る配管固定具は、第１冷媒配管と、第２冷媒配管と、の間に配設されて、結束バンドとともに第１冷媒配管と第２冷媒配管とを固定する。第２冷媒配管は、第１冷媒配管が延びる方向に対して平行な方向に沿って延びる。第１観点に係る配管固定具は、第１湾曲面と、第２湾曲面と、を備える。第１湾曲面は、第１冷媒配管の外面に沿う形状に湾曲する。第２湾曲面は、第２冷媒配管の外面に沿う形状に湾曲する。第１観点に係る配管固定具は、溝部をその外面に形成される。溝部には、第１湾曲面が第１冷媒配管の外面に当接し且つ第２湾曲面が第２冷媒配管の外面に当接した状態を保持するための結束バンドがその外周に巻きつけられる時に、結束バンドが収容される。
【０００７】
本発明の第１観点に係る配管固定具では、第１湾曲面と第２湾曲面とを備えるとともに、溝部をその外面に形成され、第１湾曲面が第１冷媒配管の外面に当接し且つ第２湾曲面が第２冷媒配管の外面に当接した状態を保持するための結束バンドがその外周に巻きつけられる時に、溝部に結束バンドが収容される。これにより、複数の冷媒配管が近接して配置される場合に、各冷媒配管間において所定のクリアランスが確保される。また、結束バンドが脱落しそうになっても、溝部の縁に当たって止まるため結束バンドの脱落が抑制される。よって、各冷媒配管間のクリアランスが安定的に確保される。したがって、機器のコンパクト化を制約することなく、保安性が向上する。
【０００８】
本発明の第２観点に係る配管固定具は、第１観点に係る配管固定具であって、第１距離が２０ｍｍ未満である。第１距離は、第１湾曲面と第２湾曲面との最短距離である。
【０００９】
本発明の第２観点に係る配管固定具では、第１湾曲面と第２湾曲面との最短距離である第１距離が２０ｍｍ未満である。これにより、所定のクリアランスが各冷媒配管間において小さく確保される。よって、各冷媒配管間のクリアランスが安定的に小さく確保され、機器のコンパクト化が助長されるとともに保安性が向上する。
【００１０】
本発明の第３観点に係る配管固定具は、第１観点又は第２観点に係る配管固定具であって、第１冷媒配管と、第２冷媒配管と、第３冷媒配管と、の間に配設されて、第３冷媒配管をさらに固定する。第３冷媒配管は、第１冷媒配管又は第２冷媒配管が延びる方向に対して平行な方向に沿って延びる。第３観点に係る配管固定具は、第３湾曲面をさらに備える。第３湾曲面は、第３冷媒配管の外面に沿う形状に湾曲する。第３観点に係る配管固定具は、第２距離が２０ｍｍ未満である。第２距離は、第１湾曲面又は第２湾曲面と、第３湾曲面と、の最短距離である。第３観点に係る配管固定具は、第３湾曲面が第３冷媒配管の外面に当接した状態をさらに保持するための結束バンドがその外周に巻きつけられる時に、溝部に結束バンドが収容される。
【００１１】
本発明の第３観点に係る配管固定具では、第３湾曲面をさらに備え、第１湾曲面又は第２湾曲面と、第３湾曲面と、の最短距離である第２距離は２０ｍｍ未満である。また、第３観点に係る配管固定具では、第３湾曲面が第３冷媒配管の外面に当接した状態をさらに保持するための結束バンドがその外周に巻きつけられる時に、溝部に結束バンドが収容される。これにより、複数の冷媒配管が近接して配置される場合に、各冷媒配管間におけるクリアランスが、さらに小さく、さらに安定的に確保される。
【００１２】
本発明の第４観点に係る配管固定具は、第３観点に係る配管固定具であって、第１冷媒配管と、第２冷媒配管と、第３冷媒配管と、第４冷媒配管と、の間に配設されて、第４冷媒配管をさらに固定する。第４冷媒配管は、第１冷媒配管、第２冷媒配管又は第３冷媒配管が延びる方向に対して平行な方向に沿って延びる。第４観点に係る配管固定具は、第４湾曲面をさらに備える。第４湾曲面は、第４冷媒配管の外面に沿う形状に湾曲する。第４観点に係る配管固定具は、第３距離が２０ｍｍ未満である。第３距離は、第１湾曲面、第２湾曲面又は第３湾曲面と、第４湾曲面と、の最短距離である。第４観点に係る配管固定具は、第４湾曲面が第４冷媒配管の外面に当接した状態をさらに保持するための結束バンドがその外周に巻きつけられる時に、溝部に結束バンドが収容される。
【００１３】
本発明の第４観点に係る配管固定具では、第４湾曲面をさらに備え、第１湾曲面、第２湾曲面又は第３湾曲面と、第４湾曲面と、の最短距離である第３距離は２０ｍｍ未満である。また、第４観点に係る配管固定具では、第４湾曲面が第４冷媒配管の外面に当接した状態をさらに保持するための結束バンドがその外周に巻きつけられる時に、溝部に結束バンドが収容される。これにより、複数の冷媒配管が近接して配置される場合に、各冷媒配管間におけるクリアランスが、さらに小さく、さらに安定的に確保される。
【００１４】
本発明の第５観点に係る配管固定具は、第３観点又は第４観点に係る配管固定具であって、第２距離が１５ｍｍ未満である。
【００１５】
本発明の第５観点に係る配管固定具では、第１湾曲面又は第２湾曲面と、第３湾曲面と、の最短距離である第２距離は１５ｍｍ未満である。これにより、複数の冷媒配管が近接して配置される場合に、第１冷媒配管又は第２冷媒配管と、第３冷媒配管と、の間のクリアランスがさらに小さく確保される。よって、近接している各冷媒配管間の距離が異なる場合においても、各冷媒配管間のクリアランスが安定的に確保される。
【００１６】
本発明の第６観点に係る冷凍装置の室外ユニットは、第１冷媒配管と、第２冷媒配管と、圧縮機と、第１観点から第５観点のいずれかに係る配管固定具と、結束バンドと、を備える。第２冷媒配管は、第１冷媒配管が延びる方向に対して平行な方向に沿って延びる。圧縮機は、冷媒を圧縮する。結束バンドは、圧縮機に直接接続されない第１冷媒配管及び第２冷媒配管を配管固定具とともに固定する。
【００１７】
本発明の第６観点に係る冷凍装置の室外ユニットでは、第１冷媒配管と、第１冷媒配管が延びる方向に対して平行な方向に沿って延びる第２冷媒配管と、冷媒を圧縮する圧縮機と、第１観点から第５観点のいずれかに係る配管固定具と、圧縮機に直接接続されない第１冷媒配管及び第２冷媒配管を配管固定具とともに固定する結束バンドと、を備える。これにより、冷凍装置の室外ユニットの内部で複数の冷媒配管が近接して収容される場合であっても、各冷媒配管間において所定のクリアランスが確保される。すなわち、一般的に、冷凍装置の室外ユニットでは、コンパクト化を実現すべく複数の冷媒配管が近接して収容されるが、運搬時の振動や傾き等によって各冷媒配管間のクリアランスが安定的に確保されにくい。しかし、第６観点に係る冷凍装置の室外ユニットでは、各冷媒配管間において所定のクリアランスが安定的に確保される。したがって、機器のコンパクト化を制約することなく、保安性が向上する。
【発明の効果】
【００１８】
本発明の第１観点に係る配管固定具では、複数の冷媒配管が近接して配置される場合に、各冷媒配管間のクリアランスが安定的に確保される。したがって、機器のコンパクト化を制約することなく、保安性が向上する。
【００１９】
本発明の第２観点に係る配管固定具では、各冷媒配管間のクリアランスが安定的に小さく確保される。したがって、機器のコンパクト化が助長されるとともに保安性が向上する。
【００２０】
本発明の第３観点から第４観点に係る配管固定具では、各冷媒配管間におけるクリアランスが、さらに小さく、さらに安定的に確保される。
【００２１】
本発明の第５観点に係る配管固定具では、近接している各冷媒配管間の距離が異なる場合においても、各冷媒配管間のクリアランスが安定的に確保される。
【００２２】
本発明の第６観点に係る冷凍装置の室外ユニットでは、複数の冷媒配管が収容される冷凍装置の室外ユニットにおいて、各冷媒配管間において所定のクリアランスが安定的に確保される。したがって、機器のコンパクト化を制約することなく、保安性が向上する。
【図面の簡単な説明】
【００２３】
【図１】従来の配管固定方法を示す模式図。
【図２】本発明の一実施形態に係る室外ユニットを備えた空調システムの正面外観図。
【図３】空調システムの冷媒回路図。
【図４】図３のIV部分に配設される冷媒配管等を示す外観図。
【図５】本発明の一実施形態に係る配管固定具を含む冷媒配管支持ユニットを図４のＣ部分に使用した場合の使用状態を示す模式図。
【図６】図５のVI−VI線断面図。
【図７】本発明の一実施形態に係る配管固定具の外観斜視図。
【図８】変形例Ｆに係る配管固定具の外観斜視図。
【図９】変形例Ｆに係る配管固定具の平面図。
【図１０】変形例Ｇに係る配管固定具を含む冷媒配管支持ユニットを図４のＤ部分に使用した場合の使用状態を示す模式図。
【図１１】図１０のXI−XI線断面図。
【図１２】変形例Ｇに係る配管固定具の外観斜視図。
【発明を実施するための形態】
【００２４】
以下、図面を参照しながら、本発明の本実施形態に係る空調システム１００について説明する。なお、以下の実施形態は、本発明の具体例であって、本発明の技術的範囲を限定するものではなく、発明の要旨を逸脱しない範囲で適宜変更が可能である。また、以下の説明において、上、下、左、右、前（正面）及び後（背面）といった方向を示す語句を用いているが、これらの方向は、特にことわりのない限り、図２、図４から図６、図１０及び図１１に示す方向を意味する。
【００２５】
（１）空調システム１００
図２は、本発明の一実施形態に係る室外ユニット１２０を備えた空調システム１００の正面外観図である。図３は、空調システム１００の冷媒回路図である。
【００２６】
空調システム１００は、冷媒配管方式の空調システムであって、蒸気圧縮式の冷凍サイクル運転を行うことにより、建物内の各室の冷房又は暖房を行う。空調システム１００は、利用ユニットとしての室内ユニット１１０と、熱源ユニットとしての室外ユニット１２０と、を備えている。また、空調システム１００は、室内ユニット１１０と室外ユニット１２０とを接続する冷媒連絡管として、ガス冷媒連絡管ＧＰ及び液冷媒連絡管ＬＰを備えている。
【００２７】
空調システム１００では、図３に示すように、室内ユニット１１０と、室外ユニット１２０と、ガス冷媒連絡管ＧＰ及び液冷媒連絡管ＬＰと、が接続されることによって冷媒回路が構成されている。空調システム１００では、冷媒回路内に封入された冷媒が、圧縮され、冷却又は凝縮され、減圧され、加熱又は蒸発された後に、再び圧縮される、という冷凍サイクル運転が行われるようになっている。空調システム１００で使用される冷媒としては、特に限定はされないが、例えばＲ３２が採用される。
【００２８】
（２）空調システム１００の構成の詳細
（２−１）ガス冷媒連絡管ＧＰ、液冷媒連絡管ＬＰ
ガス冷媒連絡管ＧＰ及び液冷媒連絡管ＬＰは、例えば銅製の冷媒配管であり、室内ユニット１１０及び室外ユニット１２０を設置場所に設置する際に現地において施工される。ガス冷媒連絡管ＧＰは、室内熱交換器１１１（後述）とガス側閉鎖弁２２（後述）とを接続し、両者間において主としてガス冷媒を連絡する。液冷媒連絡管ＬＰは、室内熱交換器１１１と液側閉鎖弁２１（後述）とを接続し、両者間において主として液冷媒を連絡する。
【００２９】
（２−２）室内ユニット１１０
室内ユニット１１０内には、主として、室内熱交換器１１１、室内ファン１１２及び図示しない室内制御部等が配設されている。
【００３０】
室内熱交換器１１１は、冷房運転時には冷媒の蒸発器として機能し、暖房運転時には冷媒の凝縮器又は放熱器として機能する。室内熱交換器１１１は、その一端が液冷媒連絡管ＬＰに接続され、その他端がガス冷媒連絡管ＧＰに接続されている。
【００３１】
室内ファン１１２は、例えばクロスフローファンやシロッコファンなどの送風機である。室内ファン１１２が駆動すると、室内ユニット１１０内に流入し室内熱交換器１１１を通過して室内に流出する空気流が生成される。
【００３２】
（２−３）室外ユニット１２０
室外ユニット１２０は、例えば建物の屋上やベランダなどの屋外や、地下室などに設置される。室外ユニット１２０は、図２に示すような略直方体状のケーシング１２１によってその外郭を構成されている。室外ユニット１２０は、設置環境によっては狭小なスペースに配設する場合もあるため、一般的に外郭のサイズは必要最小限となるようにコンパクトに構成することが望ましいとされている。
【００３３】
室外ユニット１２０内には、主として、液側閉鎖弁２１と、ガス側閉鎖弁２２と、四路切換弁２３と、気液分離器２４と、圧縮機２５と、室外熱交換器２６と、第１電動弁２８と、第２電動弁２９と、レシーバ３０と、バイパス弁３１と、が配設されており、これらの機器が冷媒配管を介して接続されている。また、室外ユニット１２０内には、室外ファン２７、室外制御部（図示省略）、支持部材３５及び冷媒配管支持ユニット４０等が配設されている。
【００３４】
（２−３−１）冷媒配管
冷媒配管は、例えば銅製の配管である。冷媒配管は、直線的に延びる直線部やＵ字状やＬ字状などに湾曲する湾曲部分等を有している。冷媒配管は、主として、第１配管Ｐ１から第１１配管Ｐ１１を含む。なお、室外ユニット１２０の外郭のサイズをコンパクトに構成するため、各配管は、室外機１２０内部においてクリアランスをできるだけ小さく確保しながら近接して配設されている。
【００３５】
具体的に、第１配管Ｐ１は、一端をガス側閉鎖弁２２に接続され、他端を四路切換弁２３に接続されている。第２配管Ｐ２は、一端を四路切換弁２３に接続され、他端を気液分離器２４の冷媒流入口に接続されている。第３配管Ｐ３は、一端を気液分離機２４の冷媒流出口に接続され、他端を圧縮機２５の吸入口に接続されている。第４配管Ｐ４は、一端を圧縮機２５の吐出口に接続され、他端を四路切換弁２３に接続されている。第５配管Ｐ５は、一端を四路切換弁２３に接続され、他端を室外熱交換器２６に接続されている。
【００３６】
第６配管Ｐ６は、一端を室外熱交換器２６に接続され、他端を第１電動弁２８に接続されている。第６配管Ｐ６は、鉛直方向（上下方向）に沿って延びる第４直管部１４（特許請求の範囲記載の「第１冷媒配管」に相当）、第５直管部１５（特許請求の範囲記載の「第２冷媒配管」に相当）及び第６直管部１６を含んでいる（図４参照）。
【００３７】
第７配管Ｐ７は、一端が第１電動弁２８に接続され、他端がレシーバ３０の第１ポート（後述）に接続されている。第７配管Ｐ７は、鉛直方向（上下方向）に沿って延びる第３直管部１３（特許請求の範囲記載の「第４冷媒配管」に相当）を含んでいる（図４参照）。
【００３８】
第８配管Ｐ８は、一端をレシーバ３０の第２ポート（後述）に接続され、他端を第２電動弁２９に接続されている。第８配管Ｐ８は、鉛直方向（上下方向）に沿って延びる第２直管部１２（特許請求の範囲記載の「第３冷媒配管」に相当）を含んでいる（図４参照）。
【００３９】
第９配管Ｐ９は、一端をレシーバ３０の第３ポート（後述）に接続され、他端をバイパス弁３１に接続されている。第１０配管Ｐ１０は、一端をバイパス弁３１に接続され、他端を第２配管Ｐ２に接続されている。
【００４０】
第１１配管Ｐ１１は、一端を第２電動弁２９に接続され、他端を液側閉鎖弁２１に接続されている。第１１配管Ｐ１１は、鉛直方向（上下方向）に沿って延びる第１直管部１１を含んでいる（図４参照）。
【００４１】
なお、第６配管Ｐ６、第７配管Ｐ７、第８配管Ｐ８及び第１１配管Ｐ１１は、圧縮機２５に直接接続されていない。換言すると、第１直管部１１、第２直管部１２、第３直管部１３、第４直管部１４、第５直管部１５及び第６直管部１６は、圧縮機２５に直接接続されていない冷媒配管といえる。
【００４２】
（２−３−２）液側閉鎖弁２１、ガス側閉鎖弁２２
液側閉鎖弁２１及びガス側閉鎖弁２２は、ポンプダウン等の際に閉じられる手動の弁である。液側閉鎖弁２１は、一端を液冷媒連絡配管ＬＰに接続され、他端を第１１配管Ｐ１１に接続されている。ガス側閉鎖弁２２は、一端をガス冷媒連絡配管ＧＰに接続され、他端を第１配管Ｐ１に接続されている。
【００４３】
（２−３−３）四路切換弁２３
四路切換弁２３は、冷媒回路において冷媒の流れる方向を切り換えるための機構である。本実施形態において、四路切換弁２３は、第１配管Ｐ１、第２配管Ｐ２、第４配管Ｐ４及び第５配管Ｐ５に接続された四方弁である。
【００４４】
空調システム１００では、冷房運転時に、室内熱交換器１１１が冷媒の蒸発器として機能し、かつ、室外熱交換器２６が冷媒の凝縮器又は放熱器として機能する。室内熱交換器１１１及び室外熱交換器２６をこのように機能させるため、四路切換弁２３は、冷房運転時には、第１配管Ｐ１と第２配管Ｐ２とを接続するとともに、第４配管Ｐ４と第５配管Ｐ５とを接続する（図３の四路切換弁２３の実線を参照）。
【００４５】
また、空調システム１００では、暖房運転時に、室内熱交換器１１１が冷媒の凝縮器又は放熱器として機能し、かつ、室外熱交換器２６が冷媒の蒸発器として機能する。室内熱交換器１１１及び室外熱交換器２６をこのように機能させるため、四路切換弁２３は、暖房運転時には、第１配管Ｐ１と第４配管Ｐ４とを接続するとともに、第２配管Ｐ２と第５配管Ｐ５とを接続する（図３の四路切換弁２３の破線を参照）。
【００４６】
（２−３−４）気液分離機２４、圧縮機２５
気液分離器２４は、圧縮機２５の外部に付属される容器である。気液分離機２４は、圧縮機２５内部へ液冷媒が流入することを抑制する機能を担っている。気液分離機２４の冷媒流入口は、第２配管Ｐ２と接続されている。気液分離機２４の冷媒流出口は、第３配管Ｐ３と接続されている。
【００４７】
圧縮機２５は、例えばスクロール方式やロータリ方式などの容積式の圧縮機であり、圧縮機用モータを内蔵する密閉式の構造を有している。圧縮機２５の吸入口には、第３配管Ｐ３が接続されている。圧縮機２５は、第３配管Ｐ３を介して圧縮機２５内部に低圧冷媒を吸入する。圧縮機２５は、吸入した低圧冷媒を圧縮する。圧縮機２５の吐出口には、第４配管Ｐ４が接続されている。圧縮機２５は、吐出口を介して、圧縮後の高温高圧のガス冷媒を吐出する。
【００４８】
（２−３−５）室外熱交換器２６、室外ファン２７
室外熱交換器２６は、室外ファン２７によって生成される空気流と熱交換することで、冷房運転時には冷媒の凝縮器又は放熱器として機能し、暖房運転時には冷媒の蒸発器として機能する。室外熱交換器２６は、その一端を第５配管Ｐ５に接続され、その他端を第６配管Ｐ６に接続されている。
【００４９】
室外ファン２７は、例えばプロペラファンなどの送風機である。室外ファン２７が駆動すると、室外ユニット１２０内部に流入し室外熱交換器２６を通過して室外ユニット１２０外へ流出する空気流が生成される。
【００５０】
（２−３−６）第１電動弁２８、第２電動弁２９
第１電動弁２８及び第２電動弁２９は、例えば開度調整が可能な電動弁である。第１電動弁２８は、一端を第６配管Ｐ６に接続され、他端を第７配管Ｐ７に接続されている。第１電動弁２８は、冷房運転時には全開とされ、暖房運転時にはその開度に応じて冷媒を減圧する。第２電動弁２９は、一端を第８配管Ｐ８に接続され、他端を第１１配管Ｐ１１に接続されている。第２電動弁２９は、暖房運転時には全開とされ、冷房運転時にはその開度に応じて冷媒を減圧する。
【００５１】
（２−３−７）レシーバ３０、バイパス弁３１
レシーバ３０は、冷媒回路を流れる冷媒流量が冷房運転と暖房運転とで異なることに起因して発生する余剰冷媒を、貯留するための容器である。レシーバ３０は、その頂部付近に、冷媒を流入又は流出させるための第１ポート及び第２ポートを形成されている（図示省略）。また、レシーバ３０は、その頂部付近に、ガス冷媒を流出させるための第３ポートを形成されている（図示省略）。レシーバ３０は、第１ポートを介して第７配管Ｐ７と接続され、第２ポートを介して第８配管Ｐ８と接続され、第３ポートを介して第９配管Ｐ９と接続されている。
【００５２】
レシーバ３０では、冷房運転時には第１ポートを介して冷媒が流入し、第２ポートを介して冷媒が流出する。また、レシーバ３０では、暖房運転時には第２ポートを介して冷媒が流入し、第１ポートを介して冷媒が流出する。また、レシーバ３０に流入した冷媒は、レシーバ３０内において貯留され気液分離する。レシーバ３０において気液分離された冷媒のうちガス冷媒は、第３ポートを介してレシーバ３０から流出する。
【００５３】
バイパス弁３１は、例えば開度調整が可能な電動弁である。バイパス弁３１は、一端を第９配管Ｐ９に接続され、他端を第１０配管Ｐ１０に接続されている。バイパス弁３１が開けられると、第９配管Ｐ９と第１０配管Ｐ１０とが連通し、レシーバ３０内から流出したガス冷媒が第２配管Ｐ２へバイパスされる。
【００５４】
（２−３−８）室外制御部
室外制御部は、ＣＰＵやメモリ等から構成されるマイクロコンピュータである。室外制御部は、各種のセンサや、室外ユニット１２０に含まれる各部の動作を制御する。例えば、室外制御部は、圧縮機２５の発停の制御や、第１電動弁２８、第２電動弁２９及びバイパス弁３１の開度調整等を行う。
【００５５】
（２−３−９）支持部材３５
図４は、図３のIV部分に配設される冷媒配管等を示す外観図である。支持部材３５は、２本の配管を固定する樹脂製の部材である。支持部材３５は、図４のＡ部分又はＢ部分のように、２本の冷媒配管が近接しているような部分において、近接する冷媒配管同士が接触することを抑制する機能を担っている。支持部材３５は、主として、２つの係合部３５１と、連結部３５２と、を有している。
【００５６】
係合部３５１は、冷媒配管の外形に沿った形状の湾曲部を有しており、当該湾曲部の内面側に冷媒配管が当接して係合している。連結部３５２は、２つの係合部３５１の間で延びて、両者を連結している。
【００５７】
図４に示すＡ部分又はＢ部分では、上記態様に構成された支持部材３５が配設されていることにより、２本の配管間の距離が一定に保たれ、配管同士が接触することが抑制されている。
【００５８】
（２−３−１０）冷媒配管支持ユニット４０
以下、図４から図７を参照して、冷媒配管支持ユニット４０について説明する。図５は、本発明の一実施形態に係る配管固定具５０を含む冷媒配管支持ユニット４０を図４のＣ部分に使用した場合の使用状態を示す模式図である。図６は、図５のVI−VI線断面図である。図７は、配管固定具５０の外観斜視図である。
【００５９】
室外ユニット１２０では、その外郭のサイズをコンパクトに構成すべく、複数の冷媒配管が近接して配設されている。例えば、図４のＣ部分においては、４本の冷媒配管が近接して配置されている。具体的にＣ部分では、第８配管Ｐ８の第２直管部１２と、第７配管Ｐ７の第３直管部１３と、第６配管Ｐ６の第４直管部１４と、第６配管Ｐ６の第５直管部１５と、が近接している。なお、当該Ｃ部分においては、図４のＡ部分やＢ部分よりも、各配管間の距離がさらに近接している。
【００６０】
具体的に、第４直管部１４は、上下方向（鉛直方向）に沿って延びている。第５直管部１５は、第４直管部１４と略平行に延びるように、上下方向（鉛直方向）に沿って延びている。第２直管部１２は、第４直管部１４及び第５直管部１５と略平行に延びるように、上下方向（鉛直方向）に沿って延びている。第３直管部１３は、第４直管部１４、第５直管部１５及び第２直管部１２と略平行に延びるように、上下方向（鉛直方向）に沿って延びている。
【００６１】
室外ユニット１２０では、運搬時や運転時において、これらの近接する冷媒配管同士が接触することを抑制すべく、例えばＣ部分において、冷媒配管支持ユニット４０が配設されている。すなわち、冷媒配管支持ユニット４０は、室外ユニット１２０内において、近接して配設される各冷媒配管間のクリアランスを確保する役割を担っている。
【００６２】
冷媒配管支持ユニット４０は、主として、配管固定具５０と、結束ユニット６０と、を含んでいる。
【００６３】
（２−３−１０−１）配管固定具５０
配管固定具５０は、各冷媒配管間のクリアランスを確保するために、冷媒配管に装着される部材である。配管固定具５０は、弾性部材であるゴム製のベース部５０ａを、加工されて構成されている。具体的に、ベース部５０ａは、図６に示すように、平面視において略Ｘ字形状に加工されている。換言すると、ベース部５０ａの天面と底面は、略Ｘ字形状を呈している。
【００６４】
また、ベース部５０ａは、天面と底面を繋ぐ側面部を有している。より詳細には、ベース部５０ａは、図７に示すように、第１側面部５１、第２側面部５２、第３側面部５３及び第４側面部５４を含む４つの側面部を有している。具体的に、第１側面部５１は、図５及び図６において、正面方向に面している。また、第２側面部５２は、右方向に面している。また、第３側面部５３は、背面方向に面している。また、第４側面部５４は、左方向に面している。
【００６５】
各側面部には、水平方向に延びる溝部５５が形成されている。溝部５５には、冷媒配管支持ユニット４０の使用時において、結束ユニット６０のバンド部６１（後述）が巻きつけられる。図５及び図７において、溝部５５は、その上下方向の長さＬ２（図７参照）が、バンド部６１の上下方向の長さＬ１（図５参照）よりも長く形成されている。換言すると、溝部５５の幅は、バンド部６１の幅よりも長く形成されている。また、溝部５５の深さは、バンド部６１の厚みよりも長い寸法を確保されている。このような態様で溝部５５が形成されていることから、溝部５５にバンド部６１が巻きつけられると、バンド部６１は溝部５５に収容されるようになっている。すなわち、溝部５５は、バンド部６１を収容可能な大きさに形成されている。
【００６６】
また、ベース部５０ａは、各側面部の間において、冷媒配管の外形に沿った形状に湾曲する湾曲面を複数有している。各湾曲面には、冷媒配管支持ユニット４０の使用時において、各冷媒配管が当接する。
【００６７】
具体的には、ベース部５０ａは、第１側面部５１と第４側面部５４の間において、天面から底面まで延びる第１湾曲面５６を有している。換言すると、第１湾曲面５６は、天面から底面の間において第１側面部５１から第４側面部５４にかけて延びている。第１湾曲面５６には、冷媒配管支持ユニット４０の使用時において、上下方向（鉛直方向）に沿って延びる第６配管Ｐ６の第４直管部１４が当接する。すなわち、第１湾曲面５６は、使用時に当接する第４直管部１４の外形に沿って湾曲しつつ、第４直管部１４が延びる方向に沿って延びているともいえる。
【００６８】
また、ベース部５０ａは、第１側面部５１と第２側面部５２の間において、天面から底面まで延びる第２湾曲面５７を有している。換言すると、第２湾曲面５７は、天面から底面の間において第１側面部５１から第２側面部５２にかけて延びている。第２湾曲面５７には、冷媒配管支持ユニット４０の使用時において、上下方向（鉛直方向）に沿って延びる第６配管Ｐ６の第５直管部１５が当接する。すなわち、第２湾曲面５７は、使用時に当接する第５直管部１５の外形に沿って湾曲しつつ、第５直管部１５が延びる方向に沿って延びているともいえる。
【００６９】
また、ベース部５０ａは、第２側面部５２と第３側面部５３の間において、天面から底面まで延びる第３湾曲面５８を有している。換言すると、第３湾曲面５８は、天面から底面の間において第２側面部５２から第３側面部５３にかけて延びている。第３湾曲面５８には、冷媒配管支持ユニット４０の使用時において、上下方向（鉛直方向）に沿って延びる第８配管Ｐ８の第２直管部１２が当接する。すなわち、第３湾曲面５８は、使用時に当接する第２直管部１２の外形に沿って湾曲しつつ、第２直管部１２が延びる方向に沿って延びているともいえる。
【００７０】
また、ベース部５０ａは、第３側面部５３と第４側面部５４の間において、天面から底面まで延びる第４湾曲面５９を有している。換言すると、第４湾曲面５９は、天面から底面の間において第３側面部５３から第４側面部５４にかけて延びている。第４湾曲面５９には、冷媒配管支持ユニット４０の使用時において、上下方向（鉛直方向）に沿って延びる第７配管Ｐ７の第３直管部１３が当接する。すなわち、第４湾曲面５９は、使用時に当接する第３直管部１３の外形に沿って湾曲しつつ、第３直管部１３が延びる方向に沿って延びているともいえる。
【００７１】
なお、本実施形態において、第１湾曲面５６と第２湾曲面５７の最短距離である第１距離ｄ１は、１５ｍｍである。また、第２湾曲面５７と第３湾曲面５８の最短距離である第２距離ｄ２は、同様に１５ｍｍである。また、第３湾曲面５８と第４湾曲面５９の最短距離である第３距離ｄ３は、同様に１５ｍｍである。また、第１湾曲面５６と第４湾曲面５９の最短距離である第４距離ｄ４は、同様に１５ｍｍである。以上をまとめると、第１距離ｄ１、第２距離ｄ２、第３距離ｄ３及び第４距離ｄ４は、いずれも１５ｍｍであって２０ｍｍ未満である。
【００７２】
（２−３−１０−２）結束ユニット６０
結束ユニット６０は、配管固定具５０が各冷媒配管に装着された状態を保持する部材である。結束ユニット６０は、バンド部６１と、固定部６２と、を含む。
【００７３】
バンド部６１は、合成樹脂製のバンド部材である。バンド部６１には、表面部分が鋸歯形状を呈するように、一定間隔で突起が設けられている（図示省略）。バンド部６１は、冷媒配管支持ユニット４０の使用時において、配管固定具５０及び各冷媒配管を束ねるように巻きつけられる。具体的に、バンド部６１は、溝部５５及び各冷媒配管の外面（より詳細には各冷媒配管の外面のうち各湾曲面に当接していない部分）に当接するように巻きつけられる。
【００７４】
固定部６２は、バンド部６１の一端に設けられている。固定部６２には、バンド部６１の他端に貫通される貫通孔６２１を形成されている。貫通孔６２１を構成する縁部分には、バンド部６１の表面の突起に引っ掛かる係止部が設けられている（図示省略）。このような係止部が設けられていることにより、固定部６２は、貫通孔６２１の一方からバンド部６１を挿入した場合、他方からはバンド部６１を引くことが可能であるのに対して、当該一方からはバンド部６１を引いても係止部がバンド部６１の突起に引っ掛かって止まるように構成されている。すなわち、固定部６２は、貫通孔６２１にバンド部６１を一旦挿入されると、係止部がバンド部６１の突起に引っ掛かって、バンド部６１が挿入してきた方向へは戻らないように構成されている。これにより、貫通孔６２１からバンド部６１が抜け落ちないようになっている。
【００７５】
（３）冷媒配管支持ユニット４０の使用態様
冷媒配管支持ユニット４０を使用する場合には、まず、近接する冷媒配管間でクリアランスを確保したい部分において、各冷媒配管に配管固定具５０を装着する。具体的には、配管固定具５０は、各側面部が各冷媒配管の間に位置するように装着される。例えば、図４のＣ部分において配管固定具５０を装着する際には、第１側面部５１が第４直管部１４と第５直管部１５の間に位置し、第２側面部５２が第５直管部１５と第２直管部１２の間に位置し、第３側面部５３が第２直管部１２と第３直管部１３の間に位置し、第４側面部５４が第３直管部１３と第４直管部１４の間に位置するように装着される（図６参照）。
【００７６】
このようにして配管固定具５０が冷媒配管に装着されると、各湾曲面が各冷媒配管の外面に当接する。ここで、各湾曲面は当接する冷媒配管の外形に沿った形状を呈していることから、係る場合において、湾曲面と冷媒配管の当接面積が大きくなるようになっている。また、ベース部５０ａは、弾性部材であるゴム製であるので、弾性力によって各冷媒配管と各湾曲面の当接面積がさらに大きくなるようになっている。
【００７７】
ここで、配管固定具５０は、その湾曲面の数に応じた本数の冷媒配管の間において配設される。本実施形態においては、配管固定具５０は４つの湾曲面を有するため、２本から４本の冷媒配管の間において配設されて各冷媒配管を固定する。
【００７８】
次に、配管固定具５０が冷媒配管に装着した状態において、結束ユニット６０のバンド部６１を、溝部５５及び各冷媒配管の外面（より詳細には各湾曲面に当接していない部分）に当接するように巻きつける。溝部５５は、その幅がバンド部６１の幅よりも長く形成されており、その深さはバンド部６１の厚みよりも長い寸法を確保されているため、バンド部６１が巻きつけられるとバンド部６１は溝部５５に収容される。
【００７９】
そして、バンド部６１の一端を固定部６２の貫通孔６２１に挿入し、バンド部６２１を引いて締めていく。これにより、配管固定具５０及び各冷媒配管が束ねられる。すなわち、近接する各冷媒配管が所定のクリアランスを確保された状態で束ねられて固定される。本実施形態においては、各湾曲面間の最短距離が１５ｍｍであるため、各冷媒配管間のクリアランスは略１５ｍｍに保たれる。つまり配管固定具５０の各湾曲面間の最短距離に応じて冷媒配管間のクリアランスが一定に保たれる。
【００８０】
以上のような態様で冷媒配管支持ユニット４０が使用されることにより、例えば冷媒配管間の距離が２０ｍｍ未満となる環境のように各冷媒配管間が近接した状況であっても、冷媒配管同士の接触を抑制する所定のクリアランスが確保されるとともに、クリアランスを小さく安定的に保つことが可能となる。本実施形態では、配管固定具５０は、第４直管部１４と、第５直管部１５と、第２直管部１２と、第３直管部１３と、の間に配設されて、バンド部６１とともに各冷媒配管を固定することで、各冷媒配管間のクリアランスを一定に保つ機能を果たしている。
【００８１】
また、配管固定具５０の外面には溝部５５が形成されており、溝部５５にバンド部６１が収容されていることにより、結束ユニット６０が脱落して配管固定具５０が冷媒配管から脱離することが抑制されている。すなわち、バンド部６１の締め付けが十分でない場合、室外ユニット１２０の運搬時や運転時の振動によってバンド部６１が滑って下降することも想定されるが、係る場合においても、溝部５５の縁にバンド部６１が引っ掛かってバンド部６１（結束ユニット６０）が脱落することが抑制されている。これにより、冷媒配管間のクリアランスが安定的に保たれるようになっている。
【００８２】
（４）特徴
（４−１）
上記実施形態では、配管固定具５０は、第１湾曲面５６と第２湾曲面５７とを備えている。また、配管固定具５０は、溝部５５をその外面に形成されており、第１湾曲面５６が第４直管部１４の外面に当接し且つ第２湾曲面５７が第１５直管部１５の外面に当接した状態を保持するためのバンド部６１をその外周に巻きつけられる時に、溝部５５にバンド部６１が収容されている。これにより、室外ユニット１２０のように複数の冷媒配管が近接して配置される場合であっても、配管固定具５０を含む冷媒配管支持ユニット４０が使用されることで、各冷媒配管間において所定のクリアランスが確保される。また、バンド部６１が脱落しそうになっても、溝部５５の縁に当たって止まるため、バンド部６１の脱落が抑制されている。よって、各冷媒配管間のクリアランスが安定的に確保されている。したがって、室外ユニット１２０のコンパクト化を制約することなく保安性に優れている。
【００８３】
（４−２）
上記実施形態では、配管固定具５０の第１湾曲面５６と第２湾曲面５７との最短距離である第１距離ｄ１は、２０ｍｍ未満である。これにより、各冷媒配管間のクリアランスが安定的に小さく確保されるようになっている。
【００８４】
（４−３）
上記実施形態では、配管固定具５０は、第３湾曲面５８をさらに備え、第２湾曲面５７と第３湾曲面５８との最短距離である第２距離ｄ２は２０ｍｍ未満である。また、上配管固定具５０は、第３湾曲面５８が第２直管部１２の外面に当接した状態を保持するためのバンド部６１をその外周に巻きつけられる時に、溝部５５にバンド部６１を収容されている。これにより、複数の冷媒配管が近接して配置される場合であっても、配管固定具５０を含む冷媒配管支持ユニット４０が使用されることで、各冷媒配管間におけるクリアランスが小さく安定的に確保されるようになっている。
【００８５】
（４−４）
上記実施形態では、配管固定具５０は、第４湾曲面５９をさらに備え、第３湾曲面５８と第４湾曲面５９との最短距離である第３距離ｄ３は２０ｍｍ未満である。また、配管固定具５０は、第４湾曲面５９が第３直管部１３の外面に当接した状態をさらに保持するためのバンド部６１をその外周に巻きつけられる時に、溝部５５にバンド部６１を収容されている。これにより、複数の冷媒配管が近接して配置される場合であっても、配管固定具５０を含む冷媒配管支持ユニット４０が使用されることで、各冷媒配管間におけるクリアランスが小さく安定的に確保されるようになっている。
【００８６】
（４−５）
上記実施形態では、室外ユニット１２０は、第４直管部１４と、第４直管部１４が延びる方向に対して平行な方向に沿って延びる第５直管部１５と、圧縮機２５と、配管固定具５０と、圧縮機２５に直接接続されていない第４直管部１４と第５直管部１５とを配管固定具５０とともに固定するバンド部６１（結束ユニット６０）と、を備えている。すなわち、一般的に、冷凍装置の室外ユニットでは、外郭サイズのコンパクト化を実現すべく、その内部において複数の冷媒配管が近接して収容されるところ、運搬時の振動や傾き等のために各冷媒配管間のクリアランスが安定的に確保されにくい。しかし、室外ユニット１２０では、配管固定具５０を含む冷媒配管支持ユニット４０が備えられていることで、各冷媒配管間において所定のクリアランスが安定的に確保されるようになっている。
【００８７】
（５）変形例
（５−１）変形例Ａ
上記実施形態では、冷凍装置として空調システム１００が採用されたが、これに限定されない。例えば、空調システム１００に代えて、給湯器や除湿機等の他の冷凍装置が採用されてもよい。
【００８８】
また、空調システム１００は、室内ユニット１１０及び室外ユニット１２０を１つずつ備えるものであったが、これに限定されず、室内ユニット１１０又は室外ユニット１２０は複数あってもよい。
【００８９】
（５−２）変形例Ｂ
上記実施形態では、配管固定具５０は、弾性部材であるゴムを素材として構成された。しかし、これに限定されず、配管固定具５０は、ゴム以外の素材で構成されてもよい。
【００９０】
（５−３）変形例Ｃ
上記実施形態では、配管固定具５０は、図４のＣ部分に示すような４本の冷媒配管が近接している箇所において配設されていた。しかし、これに限定されず、配管固定具５０は、例えば図４のＡ部分やＢ部分に示すような２本の冷媒配管が近接している箇所において、支持部材３５に代えて配設されてもよい。また、配管固定具５０は、例えば図４のＤ部分に示すような３本の冷媒配管が近接している箇所において配設されてもよい。
【００９１】
（５−４）変形例Ｄ
上記実施形態では、配管固定具５０の溝部５５は、バンド部６１を収容可能なように形成されていたが、バンド部６１と併せて固定部６２を収容可能なように形成されてもよい。係る場合、溝部５５は、その幅が固定部６２の幅よりも大きく、またその深さが固定部６２の奥行きよりも深くなるように形成されればよい。
【００９２】
（５−５）変形例Ｅ
上記実施形態では、配管固定具５０は、第１距離ｄ１、第２距離ｄ２、第３距離ｄ３及び第４距離ｄ４が、いずれも１５ｍｍとなるように構成されていた。しかし、これに限定されず、第１距離ｄ１は、これより長くても短くてもよく、例えば、１０ｍｍ若しくは１８ｍｍであってもよい。また、第２距離ｄ２、第３距離ｄ３及び第４距離ｄ４のいずれか又はいずれもは、１５ｍｍ未満であってもよく、２０ｍｍ以上であってもよい。また、第１距離ｄ１、第２距離ｄ２、第３距離ｄ３及び第４距離ｄ４のいずれか又はいずれもは、必ずしも同じ長さとされる必要はなく、それぞれ異なる長さであってもよい。
【００９３】
（５−６）変形例Ｆ
上記実施形態では、配管固定具５０は、図５から図７に示すような態様に構成されたが、これに限定されない。例えば、配管固定具５０は、第３湾曲面５８及び第４湾曲面５９の一方について省略されてもよい。
【００９４】
また、配管固定具５０は、第３湾曲面５８及び第４湾曲面５９の双方について省略されてもよい。係る場合、例えば図８及び図９に示すような配管固定具７０のように構成される。図８は、配管固定具７０の外観斜視図である。また、図９は、配管固定具７０の平面図である。
【００９５】
配管固定具７０は、配管固定具５０とは異なり、図９に示すように、平面視において略Ｔ字状に構成されている。すなわち、配管固定具７０の天面及び底面は、略Ｔ字状を呈している。配管固定具７０は、配管固定具５０とは異なり、第３湾曲面５８及び第４湾曲面５９を有していない。配管固定具７０は、例えば図４のＡ部分やＢ部分に示すような２本の冷媒配管が近接している箇所で、２本の冷媒配管間において配設されて、所定のクリアランスを安定的に小さく確保する。
【００９６】
（５−７）変形例Ｇ
上記実施形態では、配管固定具５０は、図５から図７に示すような態様に構成されたが、これに限定されず、例えば図１０から図１２に示すような配管固定具８０のように構成されてもよい。以下、配管固定具８０及び配管固定具８０を備える冷媒配管支持ユニット４０ａについて説明する。なお、配管固定具５０及び冷媒配管支持ユニット４０ａと共通する部分については説明を省略し、異なる点について説明する。
【００９７】
図１０は、配管固定具８０を含む冷媒配管支持ユニット４０ａを図４のＤ部分に使用した場合の使用状態を示す模式図である。図１１は、図１０のXI−XI線断面図である。図１２は、配管固定具８０の外観斜視図である。
【００９８】
冷媒配管支持ユニット４０ａは、例えば図４のＤ部分に示すような３本の冷媒配管が近接している箇所で配設される。冷媒配管支持ユニット４０ａは、配管固定具５０に代えて配管固定具８０を有している。例えば、冷媒配管支持ユニット４０ａが図４のＤ部分において使用された場合、配管固定具８０は、第５直管部１５より下方に位置する第６直管部１６と、第１直管部１１と、第２直管部１２との間に配設されて、バンド部６１（結束ユニット６０）とともに各冷媒配管を固定することで、各冷媒配管間のクリアランスを一定に保つ機能を果たす。
【００９９】
配管固定具８０は、弾性部材であるゴム製のベース部８０ａを、加工されて構成されている。具体的に、ベース部８０ａは、図１１に示すように、平面視において直線状に加工されている。
【０１００】
ベース部８０ａは、天面と底面を繋ぐ側面部を有している。より詳細には、ベース部８０ａは、第１側面部８１及び第２側面部８２を含む２つの側面部を有している。具体的に、第１側面部８１は、図１０及び図１１において、正面方向に面している。また、第２側面部８２は、背面方向に面している。
【０１０１】
各側面部には、水平方向に延びる溝部８５が形成されている。溝部８５には、冷媒配管支持ユニット４０ａの使用時において、結束ユニット６０のバンド部６１が巻きつけられる。図１０及び図１２において、溝部８５は、その上下方向の長さＬ３が、バンド部６１の上下方向の長さＬ１よりも長く形成されている。換言すると、溝部８５の幅は、バンド部６１の幅よりも長く形成されている。また、溝部８５の深さは、バンド部６１の厚みよりも長い寸法を確保されている。このような態様で溝部８５が形成されていることから、溝部８５にバンド部６１が巻きつけられると、バンド部６１は溝部８５に収容されるようになっている。すなわち、溝部８５は、バンド部６１を収容可能な大きさに形成されている。
【０１０２】
また、ベース部８０ａは、各側面部の間において、冷媒配管の外形に沿った形状に湾曲する湾曲面を複数有している。
【０１０３】
具体的に、ベース部８０ａは、第１側面部８１と第２側面部８２とで挟まれる位置において、天面から底面まで延びる第１湾曲面８６を有している。第１湾曲面８６は、図１１及び図１２に示すように、配管固定具８０の中央付近において形成されている。また、第２側面部８２には、第１湾曲面８６に繋がる切欠部ｎｔが形成されている（図１１及び図１２の１点鎖線を参照）。配管固定具８０を冷媒配管に装着する際には、冷媒配管が切欠部ｎｔを通過して第１湾曲面８６に到達し当接する。
【０１０４】
また、ベース部８０ａは、第１側面部８１の一端と第２側面部８２の一端との間において、天面から底面まで延びる第２湾曲面８７を有している。換言すると、第２湾曲面８７は、天面と底面の間において、第１側面部８１の一端から第２側面部８２の一端にかけて延びている。
【０１０５】
また、ベース部８０ａは、第１側面部８１の他端と第２側面部８２の他端との間において、天面から底面まで延びる第３湾曲面８８を有している。換言すると、第３湾曲面８８は、天面と底面の間において、第１側面部８１の他端から第２側面部８２の他端にかけて延びている。
【０１０６】
各湾曲面には、冷媒配管支持ユニット４０ａの使用時において、各冷媒配管が当接する。具体的に冷媒配管支持ユニット４０ａを図４のＤ部分に使用した場合には、図１０及び図１１に示すように、第１湾曲面８６には第６配管Ｐ６の第６直管部１６が当接し、第２湾曲面８７には第１１配管Ｐ１１の第１直管部１１が当接し、第３湾曲面８８には第８配管Ｐ８の第２直管部１２が当接する（係る場合、第６直管部１６が特許請求の範囲記載の「第１冷媒配管」に相当し、第１直管部１１が「第２冷媒配管」に相当し、第２直管部１２が「第３冷媒配管」に相当する）。
【０１０７】
ここで、第１湾曲面８６と第２湾曲面８７の最短距離である第１距離ｄ５は、例えば１５ｍｍである。また、第２湾曲面８７と第３湾曲面８８の最短距離である第２距離ｄ６は、例えば１０ｍｍである。このように配管固定具８０では、第１距離ｄ５と第２距離ｄ６が異なっている。なお、第１距離ｄ５及び第２距離ｄ６は、上記数値に限定されることはなく、適宜変更が可能である。例えば、第１距離ｄ５を１１ｍｍとしてもよく、１４ｍｍとしてもよい。また、第２距離ｄ６を８ｍｍとしてもよく、１２ｍｍとしてもよい。
【０１０８】
以上のように配管固定具８０は、第１湾曲面８６と第３湾曲面８８の最短距離である第２距離ｄ６が１５ｍｍ未満である。これにより、第６直管部１６と第２直管部１２とのクリアランスが小さく確保されるようになっている。すなわち、複数の冷媒配管が近接して配置される場合に、各冷媒配管間におけるクリアランスが、小さく安定的に確保されるようになっている。
【０１０９】
また、配管固定具８０は、第１湾曲面８６と第２湾曲面８７の最短距離である第１距離ｄ５と、第１湾曲面８６と第３湾曲面８８の最短距離である第２距離ｄ６と、が異なっており、具体的に第１距離ｄ５は２０ｍｍ未満であって第２距離ｄ６は１５ｍｍ未満である。このような配管固定具８０を装着することにより、複数の冷媒配管が近接して配置されるような状況であっても、各冷媒配管間において異なる所定のクリアランスが確保される。すなわち、各配管間の距離がそれぞれ異なる状況においても、各配管間におけるクリアランスが、小さく安定的に確保されるようになっている。
【０１１０】
また、配管固定具８０では、図１１に示すように、各湾曲面が直線状に並んでいる。これにより、配管固定具８０及び冷媒配管支持ユニット４０ａは、平面視において直線状に並ぶように配設される冷媒配管を固定する際に有効である。
【０１１１】
（５−８）変形例Ｈ
上記実施形態では、結束ユニット６０は、バンド部６１の表面に突起を設けるとともに固定部６２に係止部を設けて、固定部６２の貫通孔６２１からバンド部６１が抜け落ちないような構成としていた。しかし、結束ユニット６０において、バンド部６１が巻きつけられた状態を固定する構成については、特に限定されず、どのような態様のものであってもよい。例えば、バンド部６１の一端に粘着力をもたせて、巻きつけた状態を当該粘着力で保持するような態様で構成してもよい。
【０１１２】
また、バンド部６１は合成樹脂製であったが、素材についてはこれに限定されず適宜変更が可能である。
【産業上の利用可能性】
【０１１３】
本発明は、配管間のクリアランスを確保する配管固定具や、複数の冷媒配管を有する冷凍装置の室外ユニットに利用可能である。
【符号の説明】
【０１１４】
１１    第１直管部（第２冷媒配管）
１２    第２直管部（第３冷媒配管）
１３    第３直管部（第４冷媒配管）
１４    第４直管部（第１冷媒配管）
１５    第５直管部（第２冷媒配管）
１６    第６直管部（第１冷媒配管）
２５    圧縮機
２６    室外熱交換器
２７    室外ファン
２８    第１電動弁
２９    第２電動弁
３０    レシーバ
３１    バイパス弁
３５    支持部材
４０、４０ａ    冷媒配管支持ユニット
５０、７０、８０    配管固定具
５０ａ、８０ａ    ベース部
５１、８１    第１側面部
５２、８２    第２側面部
５３    第３側面部
５４    第４側面部
５５、８５    溝部
５６、８６    第１湾曲面
５７、８７    第２湾曲面
５８、８８    第３湾曲面
５９    第４湾曲面
６０    結束ユニット
６１    バンド部（結束バンド）
６２    固定部
６２１    貫通孔
１００    空調システム（冷凍装置）
１１０    室内ユニット
１１１    室内熱交換器
１１２    室内ファン
１２０    室外ユニット
１２１    ケーシング
ｄ１、ｄ５    第１距離
ｄ２、ｄ６    第２距離
ｄ３    第３距離
ｄ４    第４距離
Ｐ６    第６配管
Ｐ７    第７配管
Ｐ８    第８配管
Ｐ１１    第１１配管
【先行技術文献】
【特許文献】
【０１１５】
【特許文献１】特開２００６−１２５６９９号公報
【図１】
2015086982.tif 000003
【図２】
2015086982.tif 000004
【図３】
2015086982.tif 000005
【図４】
2015086982.tif 000006
【図５】
2015086982.tif 000007
【図６】
2015086982.tif 000008
【図７】
2015086982.tif 000009
【図８】
2015086982.tif 000010
【図９】
2015086982.tif 000011
【図１０】
2015086982.tif 000012
【図１１】
2015086982.tif 000013
【図１２】
2015086982.tif 000014